(57)【要約】【課題】  本発明は、身体の不自由な人でも容易に且つ安全に使用することができるテーブルを提供すること。【解決手段】  左右の支脚を幕板により連結した支持体と、支持体の幕板に沿って昇降する摺動板に天板を固定した昇降体とよりなり、前記幕板の前面に縦設した左右一対のガイドレールに、前記摺動板の背面に装着した左右一対のロック部材を昇降自在に嵌合し、このロック部材におけるロック爪の歯形部がケースから突出してガイドレール内のラックに係止されると共に、ロック爪の一側が切欠きの上端縁に係止されて天板が停止状態となり、前記摺動板の一側に枢着した揺動杆の操作片を引き上げると、左右のロック爪の歯形部がラックから離脱し、ケース内に後退して、天板の昇降が可能になるように構成したテーブル。【選択図】      図２
2014064673.tif 000002
【特許請求の範囲】
【請求項１】
左右の支脚を幕板により連結した支持体と、支持体の幕板に沿って昇降する摺動板に天板を固定した昇降体とよりなり、前記幕板の前面の左右一対のガイドレールを縦設し、この一対のガイドレール内に歯が同一方向を向くようにラックを固定し、前記摺動板の背面には、各ガイドレール内を昇降するロック部材を装着し、このロック部材におけるケース内に軸着したＬ字型のロック爪をバネの付勢力により、上向きに回動させてその先端の歯形部をケースの一側に設けた切欠きから突出させてラックに係止させると共に、ロック爪の一側を切欠きの上端縁に係止させ、前記摺動板の背面に左右動可能に配設した連杆の背面に左右一対のピンを突出させ、これを左右のケースに形成した長孔、及びロック爪の屈曲部に穿設した透孔に夫々挿入し、連杆を貫通した一方のピンの前端は、前記摺動板に穿設した長孔から前方へ突出させ、摺動板の前面には、下端が内向きに、上端が外向きに傾斜するように揺動杆を枢着し、この揺動杆の下端に設けた連結孔を一方のピンの前端に遊嵌し、揺動杆の上端には先端に操作片を設けた屈曲腕を連設し、上記操作片と天板の後端下面との間に間隙を形成し、この操作片を引き上げることにより、揺動杆を回動させ、左右のロック爪をバネに抗してラックから離脱するように構成したことを特徴とするテーブル。
【請求項２】
天板の後端下面に、先端が天板下面と揺動杆の操作片との間隙に嵌脱する楔を軸着したことを特徴とする請求項１記載のテーブル。
【発明の詳細な説明】
【技術分野】
【０００１】
本発明は、天板の高さを調整することができるテーブル関するものである。
【背景技術】
【０００２】
本出願人は、固定脚部に可動脚部を昇降自在に支持させた左右の伸縮脚上に天板を固定したテーブルにおいて、固定脚部と可動脚部の何れか一方側に夫々縦長のラックを、反対側にラックに対応させて夫々ロック部材を装着し、天板を引き上げることにより天板を高くし、左右の伸縮脚間に設けた操作杆を手前に引くことによりラックからロック部材におけるロック爪を離脱させて、天板を下降させるテーブルにおける天板の昇降装置を出願し、実用新案登録された(実登第３１７２２４４号)。
【０００３】
上記実登第３１７２２４４号の考案は、天板を所望位置まで下降する場合、天板を保持しながら伸縮脚間の操作杆を手前に引かなければならないので、一人では扱い難く、特に身体の不自由な老人とか車椅子での使用には不向きであった。
【０００４】
特許第２９７８９６３号公報には、一対の脚部上と、この脚部間に設けた縦横のフレーム上に天板受けを取付け、この天板受けに形成した複数の受け溝に、天板を差し替え自在に挿入することにより、天板の高さを調節するテーブルが開示されている。
【０００５】
このテーブルは、身体の不自由な老人や車椅子を利用した人が、天板を受け溝から引抜いて、別の受け溝に差し替えることは極めて困難であり、天板上に重い物とか落下し易い物が載置されている場合、天板の高さ調節は不可能であった。
【先行技術文献】
【特許文献】
【０００６】
【特許文献１】実用新案登録第３１７２２４４号公報
【特許文献２】特許第２９７８９６３号公報
【発明の概要】
【発明が解決しようとする課題】
【０００７】
本発明は、天板の高さを使用者の体格とか車椅子の高さに応じて容易に調節することができるテーブルを提供することを目的としている。
【課題を解決するための手段】
【０００８】
本発明に係る請求項１のテーブルは、左右の支脚を幕板により連結した支持体と、支持体の幕板に沿って昇降する摺動板に天板を固定した昇降体とよりなり、前記幕板の前面の左右一対のガイドレールを縦設し、この一対のガイドレール内に歯が同一方向を向くようにラックを固定し、前記摺動板の背面には、各ガイドレール内を昇降するロック部材を装着し、このロック部材におけるケース内に軸着したＬ字型のロック爪をバネの付勢力により、上向きに回動させてその先端の歯形部をケースの一側に設けた切欠きから突出させてラックに係止させると共に、ロック爪の一側を切欠きの上端縁に係止させ、前記摺動板の背面に左右動可能に配設した連杆の背面に左右一対のピンを突出させ、これを左右のケースに形成した長孔、及びロック爪の屈曲部に穿設した透孔に夫々挿入し、連杆を貫通した一方のピンの前端は、前記摺動板に穿設した長孔から前方へ突出させ、摺動板の前面には、下端が内向きに、上端が外向きに傾斜するように揺動杆を枢着し、この揺動杆の下端に設けた連結孔を一方のピンの前端に遊嵌し、揺動杆の上端には先端に操作片を設けた屈曲腕を連設し、上記操作片と天板の後端下面との間に間隙を形成し、この操作片を引き上げることにより、揺動杆を回動させ、左右のロック爪をバネに抗してラックから離脱するように構成している。
【０００９】
上記請求項１の発明にあっては、天板を持ち上げると、ロック爪はバネの付勢力によりラックの歯に係脱しながら摺動し、天板は上昇する。天板が適当な高さになったとき、天板から手を離すと天板の自重によりロック爪がラックの歯に支持され、且つロック爪の一側縁がケースに設けた切欠きの上端縁に支持されるため、天板は所望の高さで停止する。
【００１０】
天板と一緒に操作片を掴み上げると、揺動杆が枢軸を中心として下端の連結孔が外向きに回動し、連杆が外向きに横移動して左右のピンを外向きに横移動させると、左右のロック爪がバネに抗してラックから離脱する。操作片を掴んで左右のロック爪をラックから離脱させたまま、天板を下降させ、適宜高さに達したとき、操作片から手を離すと、揺動杆が枢軸を中心として下端の連結孔が内向きに回動し、連杆も同方向へ水平移動する。これに伴なって、左右のロック爪がバネの付勢力により回動して先端の歯形部がラックの歯に係合し、ロック爪の一側縁がケースに設けた切欠きの上端縁に支持されて天板は停止する。
【００１１】
本発明に係る請求項２の考案は、請求項１における天板の後部に、楔の先端を天板下面と揺動杆の操作片との間隙に嵌脱する楔を軸着したことを特徴とするものである。
【００１２】
請求項１の発明と同様に、天板を持ち上げたり、操作片を掴みながら天板を下降させたりして、天板を所望の高さに調節した後、楔を回動させて天板と操作片との間隙に嵌入することにより、天板の昇降を完全にロックする。
【発明の効果】
【００１３】
本発明に係る請求項１のテーブルは、前記のように天板を持ち上げて天板を高くし、天板を持った手で操作片を引き上げながら天板を低くすることができるので、椅子とか車椅子に座ったまま、手を伸ばして操作することが可能であり、身体の不自由な人でも容易に且つ安全に使用することができる。
【００１４】
請求項２のテーブルは、天板の高さを調節した後、楔を回動させ、その先端を天板と操作片との間隙の嵌合させるときは、天板の昇降が完全にロックされるので、身体の不自由の老人や車椅子の乗った人も、安心して使用することができる。
【図面の簡単な説明】
【００１５】
【図１】本発明に係るテーブルの実施形態を示す平面図である。
【図２】同上実施形態の正面図である。
【図３】同上実施形態の側面図である。
【図４】同上実施形態における要部の一部横断面図である。
【図５】同上実施形態における要部を示す縦断面図である。
【図６】同上実施形態において、ロック爪を係止した状態の要部を示す縦断面図である。
【図７】同上実施形態において、ロック爪を解除した状態の要部を示す縦断面図である。
【図８】本考案に係るテーブルの別の実施形態を示す平面図である。
【図９】同上別の実施形態の正面図である。
【図１０】同上別の実施形態の側面図である。
【発明を実施するための形態】
【００１６】
以下、本発明に係るテーブルの実施形態を図１乃至図７を参照して詳細に説明する。
【００１７】
符号Ａは左右の支脚１を幕板２により連結した支持体であり、符号Ｂは支持体Ａの幕板２に沿って昇降する摺動板３に天板４を固定した昇降体である。
前記幕板２の前面には、上下に長い左右一対のガイドレール５を配設している。このガイドレール５は、前面中央部が全長に亘って開口し、両側内にガイド溝５ａ，５ｂを設け、その一方のガイド溝５ａとガイド溝５ａに、全長に亘って標準歯型のラック６を、歯が同一方向になるように固定している。
【００１８】
摺動板３の背面には、左右一対のロック部材７を突設し、夫々ガイドレール５内に昇降自在に嵌入している。このロック部材７は、ラック６側に切欠き８を設けたケース９内の上部に、Ｌ字型のロック爪１０，１０の上端を軸着している。ロック爪１０は、バネ１１の付勢力により一側縁１２が切欠き９の上端縁１３に当接するまで回動し、先端に形成した歯形部１４が切欠き８よりケース９外に突出して前記ラック６の歯に係合している。またケース９内の下部には、軸受け孔１５を設けた補助用の歯車１６を回転自在に軸着している。尚符号９ａ、９ｂは
上記ケース９の上下に固定したガイド駒であり、ガイドレール５内を昇降するケース９の摺動を円滑化するものである。
【００１９】
符号１７は摺動板３の背面に配設した連杆であり、水平溝１８内に左右動自在に嵌合している。この連杆１７の一側端部にはピン１９を貫通させ、他側端にはピン２０を突設している。この両方のピン１９，２０の後端は、左右のケース９に形成した長孔２１、及びロック爪１０の屈曲部に穿設した透孔２２に夫々挿入し、連杆１７を貫通した一方のピン１９の前端は、摺動板３に穿設した長孔２３を貫通させている。
【００２０】
符号２４は摺動板３の前面に中間部を軸Ｓにより枢着した揺動杆であり、下端が摺動板３の内側に、上端が摺動板３の外側に傾斜するバランスで枢着されている。この揺動杆２４の下端には二又連結孔２５を設け、バネ１１によりロック爪１０と共にラック６側に押されたピン１９の前端が、図６に示すように、二又連結孔２５内の一側に遊嵌している。揺動杆２４の上端には屈曲腕２６を連設し、その先端に操作片２７を設け、この操作片２７と天板４との間に、間隙２８が形成されている。
【００２１】
符号２９は天板４の下面に枢着した楔であり、これを回動して先端を前記間隙２８に嵌入することにより、操作片２７の引き上げを防止するものである。
【００２２】
本発明に係る上記テーブルの実施形態において、天板４の左右両側を両手で持って引き上げると、揺動杆２４は図６から図７の状態に回動する。ロック爪１０はラック６の歯に接しながらケース９の切欠き８からの出没を繰り返えしながら上昇する。天板４が適当な高さになったとき、天板４から手を離すと、揺動杆２４は図７から図６の状態に戻り、ロック爪１０は天板４の自重によりラック６の歯に支持されると共に、一側縁１２が切欠き８の上端縁１３に当接し、天板４が所望の高さに保持される。
【００２３】
図６の（１）の状態において、天板４の左右両側を持ちながら操作片２７を引き上げると、図６の（２）のように揺動杆２４が回動し、二又連結孔２５の他側により、ピン１９がバネ１１を圧縮する方向に押され、連杆１７の横移動に伴ない、ピン２０がピン１９と同様にバネ１１を圧縮する方向に押され、左右のロック爪６の歯形部１４が同時にラック６から離脱する。この図７の状態において、操作片２７を引き上げたまま、天板４を自重を利用して下降させ、適宜の高さに位置したとき、操作片２７から手を離すと、揺動杆２４が逆方向へ回動し、ピン１９と連杆１７とピン２０の逆方向への移動により、両ロック爪１０の歯形部１４がラック６に嵌合し、ロック爪１０の一側縁１２がケース９における切欠き８の上端縁１３に係止され、天板４は安定する。
【００２４】
上記実施形態にあっては、天板４を高くする場合、天板４を持ち上げるだけで、所望の高さに調節することができ、また天板４を低くする場合は、天板４を持ちながら、操作片２７を引き上げれば、所望の位置まで下降することができるので、高さ調節が極めて容易であり、身体の不自由な人とか車椅子の人も、安全に高さ調節をすることができる。
【００２５】
使用者の体格とか車椅子により、天板４の高さを調節した後、天板４の下面に設けた楔２９を回動させて先端を、天板４と操作片２７との間隙２８に挿入するときは、揺動杆２４の回動が阻止され、天板４の昇降が完全にロックされるので、不慮の事故を起こしたり、天板上に載せた物を転倒したり、床に落下したりする虞がない。
【００２６】
上記実施形態は、天板の昇降をロックするための楔２９を備えているが、この楔２９は必要に応じて使用するものである。また上記実施形態のテーブルは一人用の場合であるが、支持体Ａを箱状に形成し、前後の幕板２に昇降体Ｂを装着するとか、図８乃至図１０に示すように、支持体Ａを横長の箱状に形成し、前側の幕板２に左右２体の昇降体Ｂを、後側の幕板２に左右２体の昇降体Ｂを装着し、各昇降体Ｂが前記実施形態と同じ手段により、個別に高さ調節ができる２人用、或いは４人用のテーブルを構成することも可能である。
【００２７】
尚、左右のケース９内に軸着した歯車１６は、天板２の昇降に伴なって自転し、ケース９の昇降を補佐するものであるが、駆動軸とか補強杆により連結することも可能である。また天板４の下面に設けた楔２９は、省略す場合もある。
【符号の説明】
【００２８】
Ａ        支持体
Ｂ        昇降体
１        支  脚
２        幕  板
３        摺動板
４        天  板
５        ガイドレール
６        ラック
７        ロック部材
８        切欠き
９        ケース
１０      ロック爪
１１      バ  ネ
１２      ロック爪の一側縁
１３      切欠きの上端縁
１４      歯形部
１５      軸受け穴
１６      歯  車
１７      連  杆
１８      水平溝
１９      ピ  ン
２０      ピ  ン
２１      長  孔
２２      透  孔
２３      長  孔
２４      揺動杆
２５      二又連結孔
２６      屈曲部
２７      ブラケット
２８      スリット
２９      操作片
３０      間  隙
３１      楔
【図１】
2014064673.tif 000003
【図２】
2014064673.tif 000004
【図３】
2014064673.tif 000005
【図４】
2014064673.tif 000006
【図５】
2014064673.tif 000007
【図６】
2014064673.tif 000008
【図７】
2014064673.tif 000009
【図８】
2014064673.tif 000010
【図９】
2014064673.tif 000011
【図１０】
2014064673.tif 000012
【手続補正書】
【提出日】平成25年9月13日(2013.9.13)
【手続補正１】
【補正対象書類名】明細書
【補正対象項目名】全文
【補正方法】変更
【補正の内容】
【発明の詳細な説明】
【技術分野】
【０００１】
本発明は、天板の高さを調整することができるテーブル関するものである。
【背景技術】
【０００２】
本出願人は、固定脚部に可動脚部を昇降自在に支持させた左右の伸縮脚上に天板を固定したテーブルにおいて、固定脚部と可動脚部の何れか一方側に夫々縦長のラックを、反対側にラックに対応させて夫々ロック部材を装着し、天板を引き上げることにより天板を高くし、左右の伸縮脚間に設けた操作杆を手前に引くことによりラックからロック部材におけるロック爪を離脱させて、天板を下降させるテーブルにおける天板の昇降装置を出願し、実用新案登録された(実登第３１７２２４４号)。
【０００３】
上記実登第３１７２２４４号の考案は、天板を所望位置まで下降する場合、天板を保持しながら伸縮脚間の操作杆を手前に引かなければならないので、一人では扱い難く、特に身体の不自由な老人とか車椅子での使用には不向きであった。
【０００４】
特許第２９７８９６３号公報には、一対の脚部上と、この脚部間に設けた縦横のフレーム上に天板受けを取付け、この天板受けに形成した複数の受け溝に、天板を差し替え自在に挿入することにより、天板の高さを調節するテーブルが開示されている。
【０００５】
このテーブルは、身体の不自由な老人や車椅子を利用した人が、天板を受け溝から引抜いて、別の受け溝に差し替えることは極めて困難であり、天板上に重い物とか落下し易い物が載置されている場合、天板の高さ調節は不可能であった。
【先行技術文献】
【特許文献】
【０００６】
【特許文献１】実用新案登録第３１７２２４４号公報
【特許文献２】特許第２９７８９６３号公報
【発明の概要】
【発明が解決しようとする課題】
【０００７】
本発明は、天板の高さを使用者の体格とか車椅子の高さに応じて容易に調節することができるテーブルを提供することを目的としている。
【課題を解決するための手段】
【０００８】
本発明に係る請求項１のテーブルは、左右の支脚を幕板により連結した支持体と、支持体の幕板に沿って昇降する摺動板に天板を固定した昇降体とよりなり、前記幕板の前面の左右一対のガイドレールを縦設し、この一対のガイドレール内に歯が同一方向を向くようにラックを固定し、前記摺動板の背面には、各ガイドレール内を昇降するロック部材を装着し、このロック部材におけるケース内に軸着したＬ字型のロック爪をバネの付勢力により、上向きに回動させてその先端の歯形部をケースの一側に設けた切欠きから突出させてラックに係止させると共に、ロック爪の一側を切欠きの上端縁に係止させ、前記摺動板の背面に左右動可能に配設した連杆の背面に左右一対のピンを突出させ、これを左右のケースに形成した長孔、及びロック爪の屈曲部に穿設した透孔に夫々挿入し、連杆を貫通した一方のピンの前端は、前記摺動板に穿設した長孔から前方へ突出させ、摺動板の前面には、下端が内向きに、上端が外向きに傾斜するように揺動杆を枢着し、この揺動杆の下端に設けた連結孔を一方のピンの前端に遊嵌し、揺動杆の上端には先端に操作片を設けた屈曲腕を連設し、上記操作片と天板の後端下面との間に間隙を形成し、この操作片を引き上げることにより、揺動杆を回動させ、左右のロック爪をバネに抗してラックから離脱するように構成している。
【０００９】
上記請求項１の発明にあっては、天板を持ち上げると、ロック爪はバネの付勢力によりラックの歯に係脱しながら摺動し、天板は上昇する。天板が適当な高さになったとき、天板から手を離すと天板の自重によりロック爪がラックの歯に支持され、且つロック爪の一側縁がケースに設けた切欠きの上端縁に支持されるため、天板は所望の高さで停止する。
【００１０】
天板と一緒に操作片を掴み上げると、揺動杆が枢軸を中心として下端の連結孔が外向きに回動し、連杆が外向きに横移動して左右のピンを外向きに横移動させると、左右のロック爪がバネに抗してラックから離脱する。操作片を掴んで左右のロック爪をラックから離脱させたまま、天板を下降させ、適宜高さに達したとき、操作片から手を離すと、揺動杆が枢軸を中心として下端の連結孔が内向きに回動し、連杆も同方向へ水平移動する。これに伴なって、左右のロック爪がバネの付勢力により回動して先端の歯形部がラックの歯に係合し、ロック爪の一側縁がケースに設けた切欠きの上端縁に支持されて天板は停止する。
【００１１】
本発明に係る請求項２の考案は、請求項１における天板の後部に、楔の先端を天板下面と揺動杆の操作片との間隙に嵌脱する楔を軸着したことを特徴とするものである。
【００１２】
請求項１の発明と同様に、天板を持ち上げたり、操作片を掴みながら天板を下降させたりして、天板を所望の高さに調節した後、楔を回動させて天板と操作片との間隙に嵌入することにより、天板の昇降を完全にロックする。
【発明の効果】
【００１３】
本発明に係る請求項１のテーブルは、前記のように天板を持ち上げて天板を高くし、天板を持った手で操作片を引き上げながら天板を低くすることができるので、椅子とか車椅子に座ったまま、手を伸ばして操作することが可能であり、身体の不自由な人でも容易に且つ安全に使用することができる。
【００１４】
請求項２のテーブルは、天板の高さを調節した後、楔を回動させ、その先端を天板と操作片との間隙の嵌合させるときは、天板の昇降が完全にロックされるので、身体の不自由の老人や車椅子の乗った人も、安心して使用することができる。
【図面の簡単な説明】
【００１５】
【図１】本発明に係るテーブルの実施形態を示す平面図である。
【図２】同上実施形態の正面図である。
【図３】同上実施形態の側面図である。
【図４】同上実施形態における要部の一部横断面図である。
【図５】同上実施形態における要部を示す縦断面図である。
【図６】同上実施形態において、ロック爪を係止した状態の要部を示す縦断面図である。
【図７】同上実施形態において、ロック爪を解除した状態の要部を示す縦断面図である。
【図８】本考案に係るテーブルの別の実施形態を示す平面図である。
【図９】同上別の実施形態の正面図である。
【図１０】同上別の実施形態の側面図である。
【発明を実施するための形態】
【００１６】
以下、本発明に係るテーブルの実施形態を図１乃至図７を参照して詳細に説明する。
【００１７】
符号Ａは左右の支脚１を幕板２により連結した支持体であり、符号Ｂは支持体Ａの幕板２に沿って昇降する摺動板３に天板４を固定した昇降体である。
前記幕板２の前面には、上下に長い左右一対のガイドレール５を配設している。このガイドレール５は、前面中央部が全長に亘って開口し、両側内にガイド溝５ａ，５ｂを設け、その一方のガイド溝５ａとガイド溝５ａに、全長に亘って標準歯型のラック６を、歯が同一方向になるように固定している。
【００１８】
摺動板３の背面には、左右一対のロック部材７を突設し、夫々ガイドレール５内に昇降自在に嵌入している。このロック部材７は、ラック６側に切欠き８を設けたケース９内の上部に、Ｌ字型のロック爪１０，１０の上端を軸着している。ロック爪１０は、バネ１１の付勢力により一側縁１２が切欠き８の上端縁１３に当接するまで回動し、先端に形成した歯形部１４が切欠き８よりケース９外に突出して前記ラック６の歯に係合している。またケース９内の下部には、軸受け孔１５を設けた補助用の歯車１６を回転自在に軸着している。尚符号９ａ、９ｂは
上記ケース９の上下に固定したガイド駒であり、ガイドレール５内を昇降するケース９の摺動を円滑化するものである。
【００１９】
符号１７は摺動板３の背面に配設した連杆であり、水平溝１８内に左右動自在に嵌合している。この連杆１７の一側端部にはピン１９を貫通させ、他側端にはピン２０を突設している。この両方のピン１９，２０の後端は、左右のケース９に形成した長孔２１、及びロック爪１０の屈曲部に穿設した透孔２２に夫々挿入し、連杆１７を貫通した一方のピン１９の前端は、摺動板３に穿設した長孔２３を貫通させている。
【００２０】
符号２４は摺動板３の前面に中間部を軸Ｓにより枢着した揺動杆であり、下端が摺動板３の内側に、上端が摺動板３の外側に傾斜するバランスで枢着されている。この揺動杆２４の下端には二又連結孔２５を設け、バネ１１によりロック爪１０と共にラック６側に押されたピン１９の前端が、図６に示すように、二又連結孔２５内の一側に遊嵌している。揺動杆２４の上端には屈曲腕２６を連設し、その先端に操作片２７を設け、この操作片２７と天板４との間に、間隙２８が形成されている。
【００２１】
符号２９は天板４の下面に枢着した楔であり、これを回動して先端を前記間隙２８に嵌入することにより、操作片２７の引き上げを防止するものである。
【００２２】
本発明に係る上記テーブルの実施形態において、天板４の左右両側を両手で持って引き上げると、揺動杆２４は図６から図７の状態に回動する。ロック爪１０はラック６の歯に接しながらケース９の切欠き８からの出没を繰り返えしながら上昇する。天板４が適当な高さになったとき、天板４から手を離すと、揺動杆２４は図７から図６の状態に戻り、ロック爪１０は天板４の自重によりラック６の歯に支持されると共に、一側縁１２が切欠き８の上端縁１３に当接し、天板４が所望の高さに保持される。
【００２３】
図６の状態において、天板４の左右両側を持ちながら操作片２７を引き上げると、図７のように揺動杆２４が回動し、二又連結孔２５の他側により、ピン１９がバネ１１を圧縮する方向に押され、連杆１７の横移動に伴ない、ピン２０がピン１９と同様にバネ１１を圧縮する方向に押され、左右のロック爪６の歯形部１４が同時にラック６から離脱する。この図７の状態において、操作片２７を引き上げたまま、天板４を自重を利用して下降させ、適宜の高さに位置したとき、操作片２７から手を離すと、揺動杆２４が逆方向へ回動し、ピン１９と連杆１７とピン２０の逆方向への移動により、両ロック爪１０の歯形部１４がラック６に嵌合し、ロック爪１０の一側縁１２がケース９における切欠き８の上端縁１３に係止され、天板４は安定する。
【００２４】
上記実施形態にあっては、天板４を高くする場合、天板４を持ち上げるだけで、所望の高さに調節することができ、また天板４を低くする場合は、天板４を持ちながら、操作片２７を引き上げれば、所望の位置まで下降することができるので、高さ調節が極めて容易であり、身体の不自由な人とか車椅子の人も、安全に高さ調節をすることができる。
【００２５】
使用者の体格とか車椅子により、天板４の高さを調節した後、天板４の下面に設けた楔２９を回動させて先端を、天板４と操作片２７との間隙２８に挿入するときは、揺動杆２４の回動が阻止され、天板４の昇降が完全にロックされるので、不慮の事故を起こしたり、天板上に載せた物を転倒したり、床に落下したりする虞がない。
【００２６】
上記実施形態は、天板の昇降をロックするための楔２９を備えているが、この楔２９は必要に応じて使用するものである。また上記実施形態のテーブルは一人用の場合であるが、支持体Ａを箱状に形成し、前後の幕板２に昇降体Ｂを装着するとか、図８乃至図１０に示すように、支持体Ａを横長の箱状に形成し、前側の幕板２に左右２体の昇降体Ｂを、後側の幕板２に左右２体の昇降体Ｂを装着し、各昇降体Ｂが前記実施形態と同じ手段により、個別に高さ調節ができる２人用、或いは４人用のテーブルを構成することも可能である。
【００２７】
尚、左右のケース９内に軸着した歯車１６は、天板２の昇降に伴なって自転し、ケース９の昇降を補佐するものであるが、駆動軸とか補強杆により連結することも可能である。また天板４の下面に設けた楔２９は、省略す場合もある。
【符号の説明】
【００２８】
Ａ        支持体
Ｂ        昇降体
１        支  脚
２        幕  板
３        摺動板
４        天  板
５        ガイドレール
６        ラック
７        ロック部材
８        切欠き
９        ケース
１０      ロック爪
１１      バ  ネ
１２      ロック爪の一側縁
１３      切欠きの上端縁
１４      歯形部
１５      軸受け穴
１６      歯  車
１７      連  杆
１８      水平溝
１９      ピ  ン
２０      ピ  ン
２１      長  孔
２２      透  孔
２３      長  孔
２４      揺動杆
２５      二又連結孔
２６      屈曲部
２７      操作片
２８      間  隙
２９      楔
３０      ブラケット
【手続補正２】
【補正対象書類名】図面
【補正対象項目名】全図
【補正方法】変更
【補正の内容】
【図１】
2014064673.tif 000013
【図２】
2014064673.tif 000014
【図３】
2014064673.tif 000015
【図４】
2014064673.tif 000016
【図５】
2014064673.tif 000017
【図６】
2014064673.tif 000018
【図７】
2014064673.tif 000019
【図８】
2014064673.tif 000020
【図９】
2014064673.tif 000021
【図１０】
2014064673.tif 000022